(57)【要約】【課題】ニュートンリング防止用の微細な凹凸を形成した場合でも、その形態を適正化することにより、良好な画像を表示することのできるタッチパネル、当該タッチパネルを備えた入力機能付き表示装置、および当該入力機能付き表示装置を備えた電子機器を提供すること。【解決手段】タッチパネル１では、第１電極１５が第１面１１に形成された第１基板１０と、第２電極２５が第１面２１に形成された透光性の第２基板２０とを備え、第２基板２０の第１面２１には、微細な凹凸２１ａが形成されている。凹凸２１ａは、算術平均粗さＲａが０．１μｍ以下で、その表面凹凸の平均間隔Ｓｍが１０〜６０μｍである。【選択図】図２
2009231183.tif 000002
【特許請求の範囲】
【請求項１】
基板において互いに反対側に位置する面を各々第１面および第２面としたときに、
第１電極が第１面に形成された第１基板と、第２電極が第１面に形成された透光性の第２基板とが、第１面同士が所定の間隙を介して対向するように配置され、前記第２基板の第２面側が押下されるタッチパネルにおいて、
前記第１基板の第１面および前記第２基板の第１面のうちの少なくとも一方には、算術平均粗さＲａが０．１μｍ以下で、表面凹凸の平均間隔Ｓｍが１０〜６０μｍの微細な凹凸が形成されていることを特徴とするタッチパネル。
【請求項２】
少なくとも、前記第２基板の第１面に前記凹凸が形成されていることを特徴とする請求項１に記載のタッチパネル。
【請求項３】
前記凹凸の算術平均粗さＲａが０．０２〜０．０６μｍであり、表面凹凸の平均間隔Ｓｍが２０〜６０μｍであることを特徴とする請求項１または２に記載のタッチパネル。
【請求項４】
前記第２基板のヘイズ値が２〜４％であることを特徴とする請求項１乃至３の何れか一項に記載のタッチパネル。
【請求項５】
前記第１基板および前記第２基板のうち、前記凹凸が形成された基板はガラス基板であり、
前記凹凸は当該ガラス基板に対するフロスト加工により形成されてなることを特徴とする請求項１乃至４の何れか一項に記載のタッチパネル。
【請求項６】
前記第２基板は、厚さが０．２ｍｍ以下のガラス基板であることを特徴とする請求項１乃至５の何れか一項に記載のタッチパネル。
【請求項７】
請求項１乃至６の何れか一項に記載のタッチパネルを備えた入力機能付き表示装置であって、
前記タッチパネルにおける前記第１基板側に画像生成装置が重ねて配置されていることを特徴とする入力機能付き表示装置。
【請求項８】
前記画像生成装置におけるドットピッチが６０μｍ以下であることを特徴とする請求項７に記載の入力機能付き表示装置。
【請求項９】
請求項７または８に記載の入力機能付き表示装置を備えていることを特徴とする電子機器。
【発明の詳細な説明】
【技術分野】
【０００１】
本発明は、指などが接触した位置を検出可能なタッチパネル、当該タッチパネルを備えた入力機能付き表示装置、および当該入力機能付き表示装置を備えた電子機器に関するものである。
【背景技術】
【０００２】
携帯電話、カーナビゲーション、パーソナルコンピュータ、券売機、銀行の端末などの電子機器では、近年、図６に示すように、液晶装置５などの表面にタッチパネル１が配置され、液晶装置５の画像表示領域に表示された指示画像を参照しながら、タッチパネル１の所定箇所を指などで押下することで、情報の入力が行えるものがある。
【０００３】
このようなタッチパネルのうち、抵抗膜型のものでは、第１電極１５が第１面１１に形成された透光性の第１基板１０と、第２電極２５が第１面２１に形成された透光性の第２基板２０とが、第１面１１、２１同士が所定の間隙を介して対向するように配置され、第２基板２０の第２面２２側が押下されるようになっている。その際、第１基板１０と第２基板２０の間隔が狭まってニュートンリングが発生すると、液晶装置５で表示された画像が見えにくくなってしまう。
【０００４】
そこで、ＰＥＴフィルムなどからなる第２基板２０の第１面２１に算術平均粗さＲａが０．０６〜３．０μｍの微細な凹凸２１ａを形成し、ニュートンリングの発生を防止した構成が提案されている（特許文献１参照）。
【特許文献１】特開平７−１６９３６７号公報
【発明の開示】
【発明が解決しようとする課題】
【０００５】
しかしながら、タッチパネル１を備えた入力機能付き表示装置１００では、液晶装置５の画像が高精細化した場合に第２基板２０の第１面１１に凹凸２１ａを形成すると、凹凸２１ａの形成具合によっては、凹凸２１ａのマイクロレンズ的な影響によって、液晶装置５に表示された情報の視認性がギラギラ感として低下する一方、濁りに起因する表示品位の低下が発生するという問題点がある。すなわち、タッチパネル１を備えた入力機能付き表示装置１００では、ニュートンリングの発生を防止するための凹凸２１ａを形成するにあたって、算術平均粗さＲａだけを制御したのでは十分でないという問題点がある。
【０００６】
以上の問題点に鑑みて、本発明の課題は、ニュートンリング防止用の微細な凹凸を形成した場合でも、その形態を適正化することにより、良好な画像を表示することのできるタッチパネル、当該タッチパネルを備えた入力機能付き表示装置、および当該入力機能付き表示装置を備えた電子機器を提供することにある。
【課題を解決するための手段】
【０００７】
上記課題を解決するために、本発明では、基板において互いに反対側に位置する面を各々第１面および第２面としたときに、第１電極が第１面に形成された第１基板と、第２電極が第１面に形成された透光性の第２基板とが、第１面同士が所定の間隙を介して対向するように配置され、前記第２基板の第２面側が押下されるタッチパネルにおいて、前記第１基板の第１面および前記第２基板の第１面のうちの少なくとも一方には、算術平均粗さＲａが０．１μｍ以下で、表面凹凸の平均間隔Ｓｍが１０〜６０μｍの微細な凹凸が形成されていることを特徴とする。
【０００８】
本発明では、第１基板の第１面および第２基板の第１面のうちの少なくとも一方に微細な凹凸が形成されているため、かかる凹凸が電極表面にも反映されている。従って、第２基板が押下されても第１基板と第２基板との間にニュートンリングが発生しにくい。また、本発明では、凹凸の算術平均粗さＲａの上限を０．１μｍに設定したため、画像生成装置に表示された画像が高精細化した場合でも、擦りガラスのような濁り感が発生しない。さらに、本発明では、凹凸の平均間隔Ｓｍについても規定し、かつ、その値を１０〜６０μｍに設定してあるため、凹凸のマイクロレンズ的な影響によって、画像生成装置に表示された情報の視認性がギラギラ感として低下することもない。すなわち、算術平均粗さＲａが０．１μｍより大きくなれば、擦りガラスのような濁り感が生じて、画像生成装置に表示された情報の視認性が低下するが、本発明では、凹凸の算術平均粗さＲａの上限を０．１μｍに設定したため、かかる問題が発生しない。また、表面凹凸の平均間隔Ｓｍが６０μｍより大きければ、それらの凹凸によるマイクロレンズのような効果が生じて、画像生成装置に表示された情報の視認性がギラギラ感として低下する一方、表面凹凸の平均間隔Ｓｍが１０μｍより小さくなれば、算術平均粗さＲａの小ささと重なって平坦性が増してニュートンリングが見え易くなるが、本発明では、凹凸の平均間隔Ｓｍを１０〜６０μｍに設定したため、かかる問題が発生しない。
【０００９】
本発明では、少なくとも、前記第２基板の第１面に前記凹凸が形成されていることが好ましい。本発明では、前記凹凸の算術平均粗さＲａを０．１μｍ以下としたため、第１基板と第２基板との間にニュートンリングが多少発生するおそれがあるが、前記第２基板の第１面に凹凸を形成しておけば、ニュートンリングが発生しても目立たないという利点がある。
【００１０】
本発明において、前記凹凸の算術平均粗さＲａが０．０２〜０．０６μｍであり、表面凹凸の平均間隔Ｓｍが２０〜６０μｍであることが好ましい。かかる条件を採用すれば、擦りガラスのような濁り感、凹凸によるマイクロレンズの影響に起因するギラギラ感といった表示品位の低下、反射に起因するニュートンリングといった表示品位の低下をより確実に防止することができる。
【００１１】
本発明において、前記第２基板のヘイズ値（濁り値）は２〜４％であることが好ましい。このように構成すると、画像生成装置で生成された画像を高い品位のまま見ることができる。
【００１２】
本発明において、前記凹凸を形成するにあたっては、前記第１基板および前記第２基板のうち、前記凹凸が形成された基板がガラス基板である場合、前記凹凸は当該ガラス基板に対するフロスト加工により形成することができる。
【００１３】
本発明は、前記第２基板の厚さが０．２ｍｍ以下のガラス基板である場合に適用すると効果的である。このような薄いガラス基板は、第１基板と第２基板とを貼り合せた後、エッチングにより、基板を薄手化するが、本発明では、凹凸が第１基板または／および第２基板の内面（第１面）に形成されているので、基板の薄手化のためのエッチングを行なっても、凹凸が消失しない。
【００１４】
本発明を適用したタッチパネルを用いて入力機能付き表示装置を構成する場合、前記タッチパネルにおける前記第１基板側に画像生成装置が重ねて配置される。本発明は、前記画像生成装置におけるドットピッチ（画素ピッチ）が６０μｍ以下、例えば３０μｍ程度である場合に適用すると、効果的である。
【００１５】
本発明を適用した入力機能付き表示装置は、携帯電話、電子手帳、ＰＯＳ端末などの端末装置などといった電子機器に用いることができる。
【発明を実施するための最良の形態】
【００１６】
図面を参照して、本発明の実施の形態を説明する。なお、以下の説明で参照する図においては、各層や各部材を図面上で認識可能な程度の大きさとするため、各層や各部材毎に縮尺を異ならしめてある。また、対応関係が分りやすいように、図６に示す構成と共通する機能を担う部分には同一の符号を付して説明する。
【００１７】
［実施の形態１］
（全体構成）
図１および図２は各々、本発明を適用した入力機能付き表示装置の構成を模式的に示す説明図である。なお、図２において、タッチパネルや液晶パネルの基板や電極などについては、その形状を簡略化し、かつ、存在が分りやすいように厚く示してある。
【００１８】
図１および図２において、本形態の入力機能付き表示装置１００は、概ね、画像生成装置としての液晶装置５と、この液晶装置５において表示光を出射する側の面に重ねて配置されたタッチパネル１（入力装置）とを有している。
【００１９】
液晶装置５は、透過型のアクティブマトリクス型液晶パネル（以下、単に液晶パネル５ａという）を備えており、透過型の液晶パネル５ａの場合、表示光の出射側とは反対側にバックライト装置（図示せず）が配置される。また、液晶装置５において、液晶パネル５ａに対して表示光の出射側には第１偏光板８１が重ねて配置され、その反対側に第２偏光板８２が重ねて配置されている。液晶パネル５ａは、透光性の素子基板５０と、この素子基板５０に対して対向配置された状態でシール材７１により貼り合わされた透光性の対向基板６０と、対向基板６０と素子基板５０との間に保持された液晶層５５とを備えている。素子基板５０において、対向基板６０の縁から張り出した張出領域５９には駆動用ＩＣ７５がＣＯＧ実装されているとともに、張出領域５９にはフレキシブル基板７３が接続されている。なお、素子基板５０には、素子基板５０上のスイッチング素子と同時に駆動回路を形成することもある。
【００２０】
（タッチパネル１の詳細構成）
タッチパネル１は、抵抗膜型であり、ＩＴＯ膜（Indium Tin Oxide）などの透光性導電膜からなる透光性の第１電極１５が第１面１１に形成された透光性の第１基板１０と、ＩＴＯ膜などの透光性導電膜からなる第２電極２５が第１面２１に形成された透光性の第２基板２０とが、第１面１１、２１同士が所定の間隙を介して対向するようにシール材３１で貼り合わされ、その内側は空気層になっている。第１基板１０および第２基板２０としては透光性の薄いプラスチック基板や薄いガラス基板を用いることができ、本形態では、第１基板１０の厚さは、０．４〜１．１ｍｍであり、第２基板２０の厚さは０．２ｍｍ以下、例えば０．１ｍｍの薄いガラス基板が用いられている。第１基板１０において、第２基板２０の縁から張り出した張出領域１９にはフレキシブル基板３３が接続されている。
【００２１】
このように構成したタッチパネル１は、液晶装置５の第１偏光板８１に重ねて配置されて入力機能付き表示装置１００を構成する。かかる入力機能付き表示装置１００においては、液晶装置５は画像表示領域１００ａ内に動画や静止画を表示可能であり、入力機能付き表示装置１００に対して、タッチパネル１を介して入力を行う際の指示画像なども表示する。従って、利用者は、液晶装置５で表示された指示画像を見ながら、タッチパネル１を指で押下すれば第２基板２０が撓みで、押下された箇所で第１電極１５と第２電極２５とが接触する。それ故、第１電極１５と第２電極２５とが接触した箇所を検出すれば、入力された情報を判別することができる。
【００２２】
（第２基板２０の詳細な構成）
図３（ａ）、（ｂ）、（ｃ）は、凹凸の算術平均粗さＲａ、表面凹凸の平均間隔Ｓｍ、およびヘイズ値と反射率との関係を示すグラフである。素ガラスの反射率は、約９％である。
【００２３】
本形態の入力機能付き表示装置１００およびタッチパネル１においては、第２基板２０の第１面２１に微細な凹凸２１ａが形成されており、凹凸２１ａは、第２電極２５表面にも反映される結果、第２電極２５表面にも微細な凹凸２５ａが形成されている。これに対して、第１基板１０の第１面１１、第１基板１０の第２面１２、および第２基板２０の第２面２２はいずれも平滑面である。凹凸２１ａは、第２基板２０に対するフロスト加工により形成されたものであり、かかる凹凸２１ａを形成するには、ガラス基板の所定領域をマスクで覆った状態で、フッ化水素酸およびリン酸水素二アンモニウムの水溶液などからなる酸処理液にガラス基板を浸漬して粗面化した後、フッ化水素酸およびフッ化アンモニウム酸の水溶液などからなるエッチング液に再度、ガラス基板を浸漬して等方性エッチングを行なって、形状を整えた微細な凹凸２１ａを形成する。
【００２４】
このように構成した入力機能付き表示装置１００において、本形態では、好適な形態として凹凸２１ａの算術平均粗さＲａが０．１μｍ以下で、その表面凹凸の平均間隔Ｓｍが１０〜６０μｍに設定されている。より好適な形態としては、凹凸２１ａは、算術平均粗さＲａが０．０２〜０．０６μｍ、例えば、０．０５μｍであり、表面凹凸の平均間隔Ｓｍは２０〜６０μｍ、例えば、４０〜６０μｍである。
【００２５】
ここで、算術平均粗さＲａは、図３（ａ）に示すように、粗さＲａ曲線からその平均線の方向に基準の長さｌだけ抜き取り、抜き取った部分の平均線から測定曲線までの偏差の絶対値を合計し、平均化した値である。また、表面凹凸の平均間隔Ｓｍは、図３（ｂ）に示すように、粗さＲａ曲線からその平均線の方向に基準の長さｌだけ抜き取り、抜き取った部分において、１つの山、およびそれに隣接する１つの谷に対応する平均線の長さの和を求め、平均化した値である。別の言い方をすれば、基準の長さｌの中で、平均線をｎ回横切る場合、Ｓｍ＝ｌ／ｎとなる。
【００２６】
また、本形態では、図３（ｃ）に示すヘイズ値と反射率との関係において、第２基板２０のヘイズ値が２〜４％に設定してある。このため、第２基板２０は、反射率が７〜８％と高いが、散乱が小さいため、素ガラスに近い透過率となる。従って、液晶装置５で生成された画像を高い品位のまま見ることができる。ここで、ヘイズ値とは、透光性基板が完全な透明ではなくて、濁り（曇り）がある場合のその濁り（曇り）度を表わす値であり、以下の式
ヘイズ値＝（散乱光線透過率／全光線透過率）×１００（％）
で表わされる。
【００２７】
（本形態の主な効果）
以上説明したように、本形態では、タッチパネル１に用いた第２基板の第１面２１に微細な凹凸２１ａが形成されているため、かかる凹凸２１ａが第２電極２５の表面にも凹凸２５ａとして反映されている。従って、第２基板２０が押下されても第１基板１０と第２基板２０との間にニュートンリングが発生しにくい。
【００２８】
また、本形態では、凹凸２１ａの算術平均粗さＲａの上限を０．１μｍに設定したため、液晶装置５のドットピッチが６０μｍ以下、例えば、３０μｍ程度まで狭ピッチ化されて画像が高精細化した場合でも、擦りガラスのような濁り感が発生しない。
【００２９】
さらに、本形態では、凹凸２１ａの平均間隔Ｓｍについても規定し、かつ、その値を１０〜６０μｍに設定してあるため、反射に起因する表示品位の低下を確実に防止することができるとともに、凹凸２１ａのマイクロレンズ的な影響によって、液晶装置５に表示された情報の視認性が低下することもない。すなわち、算術平均粗さＲａが０．１μｍより大きくなれば、擦りガラスのような濁り感が生じて、液晶装置５に表示された情報の視認性が低下するが、本形態では、凹凸２１ａの算術平均粗さＲａの上限を０．１μｍに設定したため、かかる問題が発生しない。また、表面凹凸の平均間隔Ｓｍが６０μｍより大きければ、それらの凹凸によるマイクロレンズのような効果が生じて、液晶装置５に表示された情報の視認性がギラツキ感として低下する一方、表面凹凸の平均間隔Ｓｍが１０μｍより小さくなれば、算術平均粗さＲａの小ささと重なって平坦性が増してニュートンリングが見え易くなるが、本形態では、凹凸２１ａの平均間隔Ｓｍを１０〜６０μｍに設定したため、かかる問題が発生しない。
【００３０】
より好適な形態として、本形態では、凹凸２１ａの算術平均粗さＲａを０．０２〜０．０６μｍとし、表面凹凸の算術平均粗さＲａを２０〜６０μｍとすれば、擦りガラスのような濁り感、凹凸によるマイクロレンズの影響に起因するギラギラ感といった表示品位の低下、反射に起因するニュートンリングといった表示品位の低下をより確実に防止することができる。
【００３１】
また、本形態では、第２基板２０の第１面２１に凹凸２１ａが形成されているため、ニュートンリングが発生しても目立たない。すなわち、凹凸２１ａの算術平均粗さＲａを０．１μｍ以下とすると、ニュートンリングが多少発生するおそれがあるが、第２基板２０の第１面２１に凹凸２１ａを形成しておけば、ニュートンリングが発生しても目立たないという利点がある。
【００３２】
また、本形態において、第２基板２０は、厚さが０．２ｍｍ以下、例えば、０．１ｍｍ以下のガラス基板であり、このような薄さは、厚さ０．４から１．１ｍｍの第１基板１０と第２基板２０とを貼り合せた後のエッチングにより実現されるが、本形態では、凹凸２１ａが第２基板２０の内面（第１面２１）に形成されているので、基板の薄板化のためのエッチングを行なっても、凹凸２１ａが消失しない。また、第２基板２０が薄いガラス基板で、第１電極１５および第２電極２５の表面が平坦であると、第２基板２０が押下されて撓んだときでも、第２電極２５が第１電極１５に密着して貼り付いてしまい、第２基板２０が押下されて撓んだ状態から元の形状に復帰する際、第２電極２５が第１電極１５から引き離されるときに異音が発生するが、本形態では、第２電極２５の表面に凹凸２５ａが反映されているので、かかる問題も発生しない。
【００３３】
［実施の形態２］
図４は、本発明を適用した入力機能付き表示装置の構成を模式的に示す説明図である。なお、本形態の基本的な構成は、実施の形態１と同様であるため、共通する部分には同一の符号を付して図示し、それらの説明を省略する。
【００３４】
図４において、本形態の入力機能付き表示装置１００も、実施の形態１と同様、画像生成装置としての液晶装置５と、この液晶装置５において表示光を出射する側の面に重ねて配置されたタッチパネル１（入力装置）とを有している。タッチパネル１は、抵抗膜型であり、透光性の第１電極１５が第１面１１に形成された透光性の第１基板１０と、ＩＴＯ膜からなる第２電極２５が第１面２１に形成された透光性の第２基板２０とが、第１面１１、２１同士が所定の間隙を介して対向するようにシール材３１で貼り合わされ、その内側は空気層になっている。第１基板１０および第２基板２０としては透光性の薄いプラスチック基板や薄いガラス基板を用いることができ、本形態では、第１基板１０の厚さは、０．４〜１．１ｍｍであり、第２基板２０の厚さは０．２ｍｍ以下、例えば０．１ｍｍの薄いガラス基板が用いられている。
【００３５】
本形態では、第１基板１０の第１面１１に微細な凹凸１１ａが形成されており、凹凸１１ａは、第１電極１５表面にも反映される結果、第１電極１５表面にも微細な凹凸１５ａが形成されている。これに対して、第１基板１０の第２面１２、第２基板２０の第１面２１、および第２基板２０の第２面２２はいずれも平滑面である。
【００３６】
凹凸１１ａは、第１基板１０に対するフロスト加工により形成されたものであり、好適な形態として算術平均粗さＲａが０．１μｍ以下で、その表面凹凸の平均間隔Ｓｍが１０〜６０μｍに設定されている。より好適な形態としては、凹凸２１ａは、算術平均粗さＲａが０．０２〜０．０６μｍ、例えば、０．０５μｍであり、表面凹凸の平均間隔Ｓｍは２０〜６０μｍ、例えば、４０〜６０μｍである。
【００３７】
このように構成した場合も、第１基板の第１面１１に微細な凹凸１１ａが形成されているため、かかる凹凸１１ａが第１電極１５の表面にも凹凸１５ａとして反映されている。従って、実施の形態１と同様、第２基板２０が押下されても第１基板１０と第２基板２０との間にニュートンリングが発生しにくい。また、本形態では、凹凸１１ａの算術平均粗さＲａの上限を０．１μｍに設定し、凹凸１１ａの平均間隔Ｓｍを１０〜６０μｍに設定したため、実施の形態１と同様、擦りガラスのような濁り感、凹凸によるマイクロレンズの影響に起因するギラギラ感といった表示品位の低下、反射に起因するニュートンリングといった表示品位の低下をより確実に防止することができる。
【００３８】
また、第２基板２０は、厚さが０．２ｍｍ以下、例えば、０．１ｍｍ以下のガラス基板であり、このような薄さは、第１基板１０と第２基板２０とを貼り合せた後のエッチングにより実現されるが、本形態では、凹凸１１ａが第１基板１０の内面（第１面１１）に形成されているので、基板の薄板化のためのエッチングを行なっても、凹凸１１ａが消失しない。また、第２基板２０が薄いガラス基板であるが、第１電極１５の表面に凹凸１５ａが反映されているので、第２基板２０が押下されて撓んだ状態から元の形状に復帰する際、第２電極２５が第１電極１５から引き離されるときでも異音が発生しない。
【００３９】
［実施の形態３］
上記実施の形態１では第２基板２０の第１面２１に凹凸２１ａを形成し、第１基板１０の第１面１１が平坦であり、上記実施の形態２では第１基板１０の第１面１１に凹凸１１ａを形成し、第２基板２０の第１面２１が平坦であったが、第２基板２０の第１面２１に凹凸２１ａを形成するとともに、第１基板１０の第１面１１にも凹凸１１ａを形成した構成を採用してもよい。
【００４０】
［他の実施の形態］
上記実施の形態では、画像生成装置として液晶装置５を用いたが、有機エレクトロルミネッセンス装置やプラズマ表示装置を画像生成装置として用いた場合に本発明を適用してもよい。
【００４１】
［電子機器への搭載例］
次に、上述した実施形態に係る入力機能付き表示装置１００を適用した電子機器について説明する。図５（ａ）に、入力機能付き表示装置１００を備えたモバイル型のパーソナルコンピュータの構成を示す。パーソナルコンピュータ２０００は、表示ユニットとしての入力機能付き表示装置１００と本体部２０１０を備える。本体部２０１０には、電源スイッチ２００１及びキーボード２００２が設けられている。図５（ｂ）に、入力機能付き表示装置１００を備えた携帯電話機の構成を示す。携帯電話機３０００は、複数の操作ボタン３００１及びスクロールボタン３００２、並びに表示ユニットとしての入力機能付き表示装置１００を備える。スクロールボタン３００２を操作することによって、入力機能付き表示装置１００に表示される画面がスクロールされる。図５（ｃ）に、入力機能付き表示装置１００を適用した情報携帯端末（ＰＤＡ：Personal Digital Assistants）の構成を示す。情報携帯端末４０００は、複数の操作ボタン４００１及び電源スイッチ４００２、並びに表示ユニットとしての入力機能付き表示装置１００を備える。電源スイッチ４００２を操作すると、住所録やスケジュール帳といった各種の情報が入力機能付き表示装置１００に表示される。
【００４２】
なお、入力機能付き表示装置１００が適用される電子機器としては、図５に示すものの他、デジタルスチルカメラ、液晶テレビ、カーナビゲーション装置、ページャ、電子手帳、電卓、ワードプロセッサ、ワークステーション、テレビ電話、ＰＯＳ端末などの端末機器等などが挙げられる。
【図面の簡単な説明】
【００４３】
【図１】本発明を適用した入力機能付き表示装置の構成を模式的に示す説明図である。
【図２】本発明の実施の形態１に係る入力機能付き表示装置の断面構成を模式的に示す説明図である。
【図３】（ａ）、（ｂ）、（ｃ）は、凹凸の算術平均粗さＲａ、表面凹凸の平均間隔Ｓｍ、およびヘイズ値と反射率との関係を示すグラフである。
【図４】本発明の実施の形態２に係る入力機能付き表示装置の断面構成を模式的に示す説明図である。
【図５】本発明に係る入力機能付き表示装置を用いた電子機器の説明図である。
【図６】従来の入力機能付き表示装置の断面図である。
【符号の説明】
【００４４】
１・・タッチパネル、５・・液晶装置（画像生成装置）、１０・・第１基板、１１・・第１基板の第１面、１２・・第１基板の第２面、１１ａ、１５ａ、２１ａ、２５ａ・・微細な凹凸、１５・・第１基板の第１電極、２０・・第２基板、２１・・第２基板の第１面、２２・・第２基板の第２面、２５・・第２基板の第２電極、１００・・入力機能付き表示装置
【図１】
2009231183.tif 000003
【図２】
2009231183.tif 000004
【図３】
2009231183.tif 000005
【図４】
2009231183.tif 000006
【図５】
2009231183.tif 000007
【図６】
2009231183.tif 000008